(57)【要約】      （修正有）【課題】コンタクトレンズを眼から容易かつ衛生的に取り外すことができ、安価かつ取扱い容易に構成できるコンタクトレンズ取外用具を提供する。【解決手段】可撓性を有する樹脂製の軸体１の両端に綿部２及び３を備え、軸体１の長手方向の中央部に、長手方向に直交する折れ筋１１を形成した。軸体１における折り筋１１の両側を親指と人差指とで外側から摘むと、軸体１が折り筋１１の部分で折れ曲がり、綿部２と綿部３とが接近してピンセット状になる。【選択図】図１
0003194468.tif 000002
【実用新案登録請求の範囲】
【請求項１】
両端に綿部を備えた可撓性の軸体における長手方向の中央部に、前記長手方向に直交する折れ筋を形成したコンタクトレンズ取外用具。
【請求項２】
前記軸体は、樹脂製である請求項１に記載のコンタクトレンズ取外用具。
【請求項３】
前記折れ筋は、前記長手方向に沿って所定の間隔で複数形成した請求項１又は２に記載のコンタクトレンズ取外用具。
【請求項４】
包装体内に密封して個別に収納される請求項１乃至３の何れかに記載のコンタクトレンズ取外用具。
【考案の詳細な説明】
【技術分野】
【０００１】
本考案は、眼からコンタクトレンズを取り外す作業を容易かつ衛生的に行うことができるコンタクトレンズ取外用具に関する。
【背景技術】
【０００２】
眼に装着されたコンタクトレンズは、眼から取り外す際に、親指と人差指との間に摘まれた状態で角膜から引き離される。このとき、指先が汚損していると、眼に異物や雑菌が入る。また、爪が伸ばされていると、角膜を傷つける虞がある。
【０００３】
そこで、手指を直接触れることなくコンタクトレンズを眼から取り外すことができるようにしたコンタクトレンズ取外用具が提案されている（例えば、特許文献１参照。）。
【０００４】
従来のコンタツとレンズ取外用具は、ピンセットの先端部分に粘着性部材を固定している。２つの粘着性部材でコンタクトレンズを摘んで角膜から引き離すことで、指先や爪を眼球に接触させることなく、コンタクトレンズを眼から取り外すことができる。
【先行技術文献】
【特許文献】
【０００５】
【特許文献１】特開２０１４−１１５４１８号公報
【考案の概要】
【考案が解決しようとする課題】
【０００６】
しかし、従来のコンタクトレンズ取外用具は、樹脂等を素材として二股に形成されたピンセットの先端部分に粘着性部材を備え、繰り返し使用できるように構成されていたため、高価である上、衛生上の問題から使用の前後で洗浄を必要とし、取扱いが煩雑になる。
【０００７】
この考案の目的は、安価かつ取扱いが容易なコンタクトレンズ取外用具を提供することにある。
【課題を解決するための手段】
【０００８】
この考案のコンタクトレンズ取外用具は、軸体の両端に綿部を備えた可撓性の軸体における長手方向の中央部に、長手方向に直交する折れ筋を形成したことを特徴とする。
【０００９】
この構成により、例えば、既存の綿棒に折れ筋を形成することで得られ、軸体は、折れ筋で折り曲げると、両端に綿部を有する二股のピンセット状を呈する。指先に代えて２つの綿部によってコンタクトレンズを摘んで角膜から引き離すことで、指先や爪を眼球に接触させることなく、コンタクトレンズを眼から取り外すことができる。
【００１０】
この構成において、軸体は樹脂製とすることが好ましい。プレス加工によって折れ筋を容易に形成することができるとともに、綿部に液体を含浸させた状態で保存できる。
【００１１】
折れ筋は、軸体の長手方向に沿って所定の間隔で複数形成することが好ましい。軸体を複数の折れ筋で折り曲げることで、両端の綿部を接近させ易くなる。
【００１２】
また、軸体を１つずつ密封して収納する包装体を備えることが好ましい。綿部に液体を含浸させた状態で、保管や輸送を容易に行うことができる。
【考案の効果】
【００１３】
この考案によれば、コンタクトレンズを眼から容易かつ衛生的に取り外すことができるコンタクトレンズ取外用具を、安価かつ取扱い容易に構成することができる。
【図面の簡単な説明】
【００１４】
【図１】（Ａ）及び（Ｂ）は、この考案の第１の実施形態に係るコンタクトレンズ取外用具の正面図及び側面図である。
【図２】（Ａ）及び（Ｂ）は、同コンタクトレンズ取外用具の販売時及び使用前の状態を示す図である。
【図３】同第１の実施形態に係るコンタクトレンズ取外用具の使用時の状態を示す図である。
【図４】（Ａ）及び（Ｂ）は、この考案の第２の実施形態に係るコンタクトレンズ取外用具の正面図及び側面図である。
【図５】同第２の実施形態に係るコンタクトレンズ取外用具の使用時の状態を示す図である。
【考案を実施するための形態】
【００１５】
図１（Ａ）及び（Ｂ）に示すように、この考案の第１の実施形態に係るコンタクトレンズ取外用具１０は、一例として可撓性を有する中空状又は無垢状の樹脂製の軸体１の両端に綿部２及び３を備え、軸体１の長手方向の中央部に、長手方向に直交する折れ筋１１を形成したものである。軸体１は、中空状又は無垢状の樹脂製に限るものではなく、可撓性及び十分な耐水性を具備することを条件に、素材及び断面形状を問わない。
【００１６】
両端に綿部２及び３を備えた軸体１は、既存の綿棒と同様にして形成することができる。即ち、略円形断面の軸体１の両端部の表面に、粗面化を施した上で糊付け加工を行う。次いで、軸体１を回転させながら綿に接触させることで両端部に綿付けを行い、上糊を塗布しつつ形状を整えて綿部２及び３を形成する。この後、綿部２及び３を乾燥させることで綿棒が完成する。
【００１７】
完成した綿棒の綿部２及び３に所定の液体を含浸させた後、軸体１の長手方向の中央部に長手方向に直交する折れ筋１１を例えばプレス加工によって形成することで、コンタクトレンズ取外用具１０が完成する。
【００１８】
なお、綿部２及び３に対する液体の含浸は必須ではなく、所定の液体としては蒸留水、生理的食塩水又はコンタクトレンズ保存液等の眼に悪影響を与えることのない液体を使用することができる。
【００１９】
図２（Ａ）に示すように、コンタクトレンズ取外用具１０は、１本ずつ包装体１００に密封して収納された状態で販売される。包装体１００は、コンタクトレンズ取外用具１０を収納可能な長さ及び幅の矩形を呈し、一例としてアルミニウム箔を素材とする前後２枚のシートを上下左右の各辺における所定幅の封止部１０１〜１０４で密着させている。コンタクトレンズ取外用具１０は、封止部１０１〜１０４に包囲された内側における２枚のシートの間に収納される。
【００２０】
複数の包装体１００は、それぞれの長辺を複数の連結部１０５で連結されている。各包装体１００の長辺の中央部には、切込部１０６が形成されている。例えば、裏側のシート上に複数のコンタクトレンズ取外用具１０を等間隔に載置した後、２枚のシートを封止部１０１〜１０４で密着させ、連結部１０５及び切込部１０６を形成する。
【００２１】
図２（Ｂ）に示すように、複数の包装体１００のうち連結方向の端部に位置する１つの包装体１００を他の包装体１００から切り離し、長手方向の中央部で２つに分割するように切込部１０３で破ると、コンタクトレンズ取外用具１０が露出する。
【００２２】
コンタクトレンズ取外用具１０を包装体１００内に密封して収納することで、保存性、運搬性及び携帯性が向上し、長期間にわたって衛生的に保存できる。
【００２３】
図３に示すように、軸体１における折り筋１１の両側を親指と人差指とで外側から摘むと、軸体１が折り筋１１の部分で折れ曲がり、綿部２と綿部３とが接近してピンセット状になる。綿部２と綿部３との間隔をコンタクトレンズの直径よりも小さい長さにした状態で綿部２と綿部３とをコンタクトレンズに接触させた後、綿部２と綿部３とをさらに近接させると、コンタクトレンズの中央部が綿部２と綿部３との間に挟持される。綿部２と綿部３とによるコンタクトレンズの挟持状態を維持したまま、コンタクトレンズ取外用具１０を眼から離間させることで、コンタクトレンズが眼から取り外される。
【００２４】
コンタクトレンズ取外用具１０は、従前の使い捨て綿棒の綿部２及び３に所定の液体を含浸させるとともに、軸部１の長手方向における中央部に折り筋１１を形成するのみで形成される。このため、コンタクトレンズ取外用具１０は、低廉なコストで製造でき、使い捨ての使用に好適で、使用前後の洗浄等が不要になり、容易に取り扱うことができる。
【００２５】
図４に示すように、この考案の第２の実施形態に係るコンタクトレンズ取外用具２０は、軸部１の長手方向における中央部に長手方向に直交する２本の折れ筋２１及び２２を形成したものであり、その他はコンタクトレンズ取外用具１０と同様に構成されている。
【００２６】
軸体１の長手方向における折れ筋２１と折れ筋２２との間隔Ｄは、綿部２及び３の長手方向に直交する方向の幅Ｗ２を考慮して決定することができ、例えば、綿部２及び３の幅Ｗ２と軸体１の外形Ｗ１との差に略等しくする。
【００２７】
図５に示すように、軸体１における折り筋２１及び２２よりも綿部２及び３側のそれぞれを親指と人差指とで外側から摘むと、軸体１が折り筋２１及び折れ筋２２の部分で間隔Ｄを挟んでコの字状に折れ曲がり、綿部２と綿部３とがより接近し易くなる。
【００２８】
上記の実施形態はいずれも一例であり、この考案はこれらに限定されるものではなく、この考案の範囲内で種々の変更を加えることが可能である。
【符号の説明】
【００２９】
１−軸体
２，３−綿部
１１，２１，２２−折れ筋
１０，２０−コンタクトレンズ取外用具
【図１】
0003194468.tif 000003
【図２】
0003194468.tif 000004
【図３】
0003194468.tif 000005
【図４】
0003194468.tif 000006
【図５】
0003194468.tif 000007